Podtech/llm-jp-corpus-v4-ja_patent huggingface dataset:
(57)【要約】      （修正有）【課題】衛生的で便利な消毒、殺菌用の手袋を提供する。【解決手段】非透水性素材の手袋の表面に吸水性のある不織布等をはりつけたことによりタオル地と手袋の機能を合わせもつ手袋で衛生的に、ふきとりやすく作業時間を短縮することができ使用後はすてることができる。手袋は表面が不織布等になっているため次亜塩素酸ナトリュウム液を手袋に付着させ消毒、殺菌しようとする個所をふき取る事ができ、使用後は裏がえしにしてすてることができ衛生的で作業時間が大幅に短縮できる。【選択図】図１
0003167218.tif 000002
【実用新案登録請求の範囲】
【請求項１】
非透水性素材からなる手袋の表面を吸水性のある素材をはったことを特徴とする手袋。
【請求項２】
前記吸水性のある素材は不織布であることを特徴とする請求項１に記載の手袋。
【考案の詳細な説明】
【技術分野】
【０００１】本考案はノロウィルス等の予防及び対策に使用する事ができる手袋に関するものである。
【背景技術】
【０００２】１１月から３月頃までノロウィルス等の予防のため介護施設病院等においては人の手の触れるドアの取っ手やトイレ内のじゃ口等の部分を次亜塩素酸ナトリュウムを用いて消毒、殺菌しているわけであるが手袋をしてタオル地等に液を含ませてふき取っているため局部的にふき取りにくい部分もあり又使用後のタオル地の洗浄、すすぎの後しまつもめんどうなものであった。
【考案の概要】
【考案が解決しようとする課題】
【０００３】次亜塩素酸ナトリュウム、タオル地、手袋を用いての消毒、殺菌作業は局部的にふき取りにくい面があり又作業後のタオル地の洗浄すすぎに時間がかかる等の前述の欠点を解決しようとするものである。
【課題を解決するための手段】
【０００４】本考案は手袋の表面に吸水性のある不織布等の素材をはりつける事により手袋と布が一体となりふき取りやすくなり又消毒、殺菌作業後はそのまますてる事ができるため上記の問題点を解決している。
【考案の効果】
【０００５】上述の様に本考案の手袋は表面が不織布等になっているため次亜塩素酸ナトリュウム液を手袋に付着させ消毒、殺菌しようとする個所をふき取る事ができ、使用後は裏がえしにしてすてることができ衛生的で作業時間が大幅に短縮できる。
【図面の簡単な説明】
【０００６】
【図１】  本考案の衛生用手袋の全体図である。
【図２】  本考案の衛生用手袋の全体図である。
【考案を実施するための形態】
【０００７】殺菌、消毒作業前に手袋をはめＢの布部分に次亜塩素酸ナトリュウム液を含ませドアの取っ手水道のじゃ口等の人の手の触れる所をふき取り使用後は裏がえしにしてすてることにより衛生的に作業時間を短縮できる。
【実施例】
【０００８】以下添付図面に従って一実施例を説明する。
Ａは手袋、ＢはＡにはりつけてある不織布等の布地で消毒、殺菌前に手袋をはめＢに次亜塩素酸ナトリュウム液を含ませ消毒、殺菌する個所をふきとり使用後は裏がえして手袋をすてる。
図１は指５本型
図２はみとん型
どちらの型でも可能。
素材の例．
手袋              ポリエチレン
吸水性の素材      不織布
【符号の説明】
【０００９】Ａ        手袋
Ｂ        手袋にはりつけてある不織布等の布地
【図１】
0003167218.tif 000003
【図２】
0003167218.tif 000004
(57)【要約】【課題】眼科手術で散瞳不良の虹彩を切開する際、手前側の虹彩のみを切開することを目的とした手術器具を提供する。【解決手段】刃（２）が先端についた筒状のもの（１）に、先端に鉤状の刃の付いた棒状のもの（３）を通し、（２）の刃と（３）の先端の鉤状の刃の間に虹彩を挟み、（３）を引くことにより、虹彩を切開することを特徴とする。【選択図】図１
0003167216.tif 000002
【実用新案登録請求の範囲】
【請求項１】
刃（２）が先端についた筒状のもの（１）に、先端に鉤状の刃の付いた棒状のもの（３）を通した眼科手術器具。
【考案の詳細な説明】
【技術分野】
【０００１】  この発明は、眼科手術で散瞳不良の虹彩を切開する際、手前側の虹彩のみを切開することを目的とした手術器具に関するものである。
【背景技術】
【０００２】  従来、散瞳不良の虹彩の手前側の切開は困難であった。
【考案の開示】
【考案が解決しようとする課題】
【０００３】  従来、眼科手術で散瞳不良の虹彩を切開する際、手前側を切ることは困難だった。
本発明は、以上のような欠点をなくすためになされたものである。
【課題を解決するための手段】
【０００４】  刃（２）が先端についた筒状のもの（１）に、先端に鉤状の刃のついた棒状のもの（３）を通す。
本発明は、以上の構成よりなる眼科用手術器具である。
【考案の効果】
【０００５】    （２）と（３）の刃の間に手前側の虹彩を挟み、（３）を引くことにより、（２）と（３）の間に挟んだ虹彩を切開することができる。
【考案を実施するための最良の形態】
【０００６】  以下、本発明を実施するための最良の形態について説明する。
（イ）、刃（２）が先端についた筒状のもの（１）に、先端に鉤状の刃の付いた棒状のもの（３）を通し、（２）の刃と（３）の先端の鉤状の刃の間に虹彩を挟み、（３）を引くことにより、虹彩を切開する。
（ロ）、（２）と（３）の刃の先端、（３）の鉤の外側の屈曲部分は組織を傷つけないよう丸みを帯びている。
（ハ）、（２）の先端の刃の後部は、切開部より出し入れが容易になるよう高さを徐々に低くしてある。
（ニ）、（１）の筒状の部分は操作性向上のため、カーブをつけることができる。
【図面の簡単な説明】
【０００７】
【図１】  本発明の左側面図である。
【図２】  本発明の右側面図である。
【符号の説明】
【０００８】  １  筒状のもの
２  刃
３  先端に鉤状の刃のついた棒状のもの
【図１】
0003167216.tif 000003
【図２】
0003167216.tif 000004
(57)【要約】      （修正有）【課題】速やかに取り付けることができる一体型の三角停止表示シートを提供する。【解決手段】長方形のマグネットシートに表面がなめらかな可撓性を有するプラスチック製シートを貼り合わせ、該プラスチックシートに回避方向を示す矢印図形を表示するＬＥＤと、短辺端から一方向に車幅に合うような複数個の正三角形図形を表示するＬＥＤを配置して、前記マグネットシートの長辺端部に複数個の脱着可能吸盤を装着し、短辺端部に電源プラグを装着してなる。【選択図】図１
0003167213.tif 000002
【実用新案登録請求の範囲】
【請求項１】
長方形のマグネットシートに表面がなめらかな可撓性を有するプラスチック製シートを貼り合
わせ、該シートに回避方向を示す矢印図形を表示するLEDと、短辺端から一方向に車幅に合うような複数個の正三角形図形を表示するLEDを配置して、前記シートの長辺端部に複数個の脱着可能吸盤を装着し、短辺端部に電源プラグを装着してなる一体型の三角停止表示シート。
【考案の詳細な説明】
【技術分野】
【０００１】
本考案は、危険信号を発することが出来る三角停止表示シートに関する。                                                      
【背景技術】
【０００２】
高速道路の走行時に積載を義務づけられている三角停止板は、組立式で基板付単体の三角形からなるものが従来より知られている。            
【先行技術文献】
【特許文献】
【０００３】
【特許文献１】特開２００１−３１５５７４
【考案の概要】
【考案が解決しようとする課題】
【０００４】
しかしながら、従来品は単体の組立式が一般的なので設置時間を要し、路面設置条件下においては車幅の間隔が視認しづらく、特に夜間は実際より遠方に停止しているかのように誤認することが多くあった。また後続車輌の前照灯は反射距離が非常に短く、反射効率が低いため、視認性に乏しく、かつ強風下にあっては反射方向の変化や転倒の危険性があるなどの欠点があった。                                  
【課題を解決するための手段】
【０００５】
本考案は、長方形のマグネットシートに表面がなめらかな可撓性を有するプラスチック製シートを貼り合わせ、該シートに回避方向を示す矢印図形を表示するLEDと、短辺端から一方向に車幅に合うような複数個の正三角形図形を表示するLEDを配置してなる一体型の平面シートで、前記シートの短辺端部に装着した電源プラグを車輌電源供給部に接続して、LEDを発光させる三角停止表示シートとして課題を解決している。
【考案の効果】
【０００６】
本考案に係る三角停止表示シートは、緊急停止車輌の運転者が速やかに車輌本体後方の外部に取り付けることにより瞬時に後方車輌に表示し、夜間においても安全な方向に誘導することによって危険回避できるものである。該シートはマグネットにより鉄製の車体に取り付け可能であり、ガラス面等には前記シート長辺端部に装着した複数個の脱着可能吸盤で吸着できる。一体型シート形状により車内に丸めて収納しておくことができる。                                            
【図面の簡単な説明】
【０００７】
【図１】本考案の一実施例を示す外観図である。
【図２】本考案に係る他の実施例を示す平面図である。
【図３】本考案に係る図１における側面図である。
【図４】本考案に係る使用状態図である。
【考案を実施するための形態】
【０００８】
図１（A）、（B）及び図３に示すように、長方形のマグネットシート１に表面がなめらかな可撓性を有するプラスチック製シート２を貼り合わせ、該シート２に回避方向を示す矢印図形を表示するLED３−１と、短辺端から一方向に車幅に合うような複数個の正三角形図形を表示するLED３−２、３−３、３−４を配置して、前記シート２の短辺端部に電源プラグ４を装着し、長辺端部に複数個の脱着可能吸盤５を装着した一体型の平面シートである。使い方によっては正三角形図形３−２、３−３、３−４を大・中・小の大きさの表示も可能であり、LED３は赤色で表示することも可能である。                                                
【０００９】
図２に示すように、使い方によっては正三角形図形の中に感嘆符を配置したLED３−５、３−６、３−７の表示も可能である。
【００１０】
表面がなめらかな可撓性を有するプラスチック製シート２は、反射加工したもので後続車輌の前照灯で反射し、図４の６に示すように丸めることができる。
【００１１】
図１、図２、図３に示すように、マグネットシート１または複数個の脱着可能吸盤５で車輌本体に貼り付ける。表面がなめらかな可撓性を有するプラスチック製シート２は反射効果があり、電源プラグ４を車輌本体電源供給部へ接続してLED３−１、３−２、３−３、３−４を発光させるものである。                                    
【００１２】
上記の工程により、完成した本考案はマグネットシート１で車輌後部の外部に取り付け、かつガラス面及びアルミ面等には複数個の脱着可能吸盤５で吸着できるものである。夜間、強風下の高速道路等においても反射方向の変化や転倒の危険性を回避し、後続車輌の前照灯により表面がなめらかな可撓性を有するプラスチック製シート２が反射し、電源プラグ４を車輌電源供給部へ接続してLED３−１、３−２、３−３、３−４を発光させることにより、後続車輌への視認性を高めることができる。
【符号の説明】
【００１３】
１  マグネットシート                                                      
２  プラスチック製シート
３  LED
４  電源プラグ
５  脱着可能吸盤
６  当該シート収納時
【図１】
0003167213.tif 000003
【図２】
0003167213.tif 000004
【図３】
0003167213.tif 000005
【図４】
0003167213.tif 000006
【手続補正書】
【提出日】平成23年2月7日(2011.2.7)
【手続補正１】
【補正対象書類名】実用新案登録請求の範囲
【補正対象項目名】請求項１
【補正方法】変更
【補正の内容】
【請求項１】
長方形のマグネットシートに表面がなめらかな可撓性を有するプラス
チック製シートを貼り合わせ、該プラスチックシートに回避方向を示す矢
印図形を表示するLEDと、短辺端から一方向に車幅に合うような複数個の
正三角形図形を表示するLEDを配置して、前記マグネットシートの長辺
端部に複数個の脱着可能吸盤を装着し、短辺端部に電源プラグを装着
してなる一体型の三角停止表示シート。
(57)【要約】      （修正有）【課題】後方の車両のライトの光が照射されると反射作用が働いて、注意を促し、走行時の安全を図る泥除けを提供する。【解決手段】本泥除け２は、湾曲可能なゴム材料からなり、前記泥除け２の外側表面後方の下方位置に、滑らかなミラー状の金属板３が設置される。このうち、金属板３周辺には、複数の貫通穴３１が設置されて、金属板３が金型に設置される際、金型内の突起柱によって位置を固定し、そのゴム材料が金型に注入されて成型される時に金属板３周辺の貫通穴３１中に進入し、結合して一体となる。泥除け２が車両のタイヤ後方の車体位置に設置されて、後方の車両のライトが照射されると、反射作用が働いて、注意を促し、走行時の安全を図るという特徴を有する。【選択図】図１
0003167244.tif 000002
【実用新案登録請求の範囲】
【請求項１】
湾曲可能なゴム材料からなり、前記泥除けの外側表面後方の下方位置に、滑らかなミラー状の金属板が設置され、このうち、金属板周辺には、複数の貫通穴が設置されて、金属板が金型に設置される際、金型内の突起柱によって位置を固定し、そのゴム材料が金型に注入されて成型される時に金属板周辺の貫通穴中に進入し、結合して一体となり、泥除けが車両のタイヤ後方の車体位置に設置されて、後方の車両のライトが照射されると、反射作用が働いて、注意を促し、走行時の安全を図る実用性を有することを特徴とする車両用泥除け。
【考案の詳細な説明】
【技術分野】
【０００１】
本考案は、車両用の泥除けに関し、特に、滑らかなミラー状の金属板を結合させて一体化することで、後方の車両のライトの光が照射されると反射作用が働いて、注意を促し、走行時の安全を図ることを目的とする泥除けに関する。
【背景技術】
【０００２】
一般に、各種車両のタイヤ後方の車体位置に、走行時に泥や土、塵が車体にはねないようにするため、通常泥除けが取り付けられる。特に大型車両（例えば、トラック、バス、牽引車等）は、車輪によって発生する泥はねがひどいため、泥除けの長さを長くして、できるだけ地面に近づけて、泥はねの程度を極力抑えることで、走行時の安全を確保している。しかしながら、従来の泥除けは、まだ実用性の面で改善されるべき点を有する。
【考案の概要】
【考案が解決しようとする課題】
【０００３】
したがって、本考案は、従来の技術に実用性の面で改善を加えた泥除けを提供することを課題とする。
【課題を解決するための手段】
【０００４】
上記課題を解決するために、本考案は、従来の技術に実用性の面で改善を加えた泥除けを提供することを目的とする。
【０００５】
上記目的を達成するために、本考案の車両用泥除けは、泥除けに滑らかなミラー状の金属板を結合させて一体化することで、後方の車両のライトの光が照射されると反射作用が働いて、注意を促し、走行時の安全を図るという実用的効果を有する。
【０００６】
上記目的を達成するために、本考案の車両用泥除けは、湾曲可能なゴム材料によって製作され、泥除けに各種の模様を有することが可能である。
【０００７】
上記目的を達成するために、本考案の車両用泥除けは、金属板周辺に複数の貫通穴を有して、金属板が金型に設置される際、金型内の突起柱によって位置を固定し、そのゴム材料が金型に注入されて成型される時に、金属板周辺の貫通穴中に進入し、結合して一体となる。  
【０００８】
上記目的を達成するために、本考案の車両用泥除けは、金属板上に小さなステッカーを貼って広告とすることで、宣伝の目的を果たす外、異なるステッカーによって、数量に応じた対応を行うことで、金属板製作上の統一化によって、製作コストの削減を図り、カスタマイズ製作時に発生する在庫によるコストの無駄を回避する。
【考案の効果】
【０００９】
本考案の車両用泥除けは、湾曲可能なゴム材料に滑らかなミラー状の金属板を結合させて一体化することで、後方の車両のライトの光が照射されると反射作用が働いて、注意を促し、走行時の安全を図るという実用性を有する。
【図面の簡単な説明】
【００１０】
【図１】本考案を示した図である。
【図２】本考案の制作成型時の状態を示した図である。
【図３】本考案の他の形態を示した図（一）である。
【図４】本考案の他の形態を示した図（二）である。
【図５】本考案の実施例図（一）である。
【図６】本考案の実施例図（二）である。
【図７】本考案の実施例図（三）である。
【考案を実施するための形態】
【実施例】
【００１１】
まず、図１、図２を参照しながら説明する。本考案の車両用泥除けは、車両１のタイヤ１Ａを取り付けるための空間後方の位置に設置される。その泥除け２は、湾曲可能なゴム材料から製作され、前記泥除け２の外側表面後方の下方位置に滑らかなミラー状の金属板３が設置される。このうち、金属板３周辺には、複数の貫通穴３１が設置される。金属板３が金型４に設置される際、金型４中の突起柱４１によってその位置を固定した後に、ゴム材料を金型４に注入し、金属板３周辺の貫通穴３１中に進入させて一体化させる（図２に図示）。このように、金属板３が金型４中に設置されて、泥除け２のゴム材料が金型４に注入される前に、金型４中の突起柱４１によって位置が固定される。したがって、加工時における結合の際に、金属板３を正確な位置で確実に固定して製作することが可能であり、ずれたり、偏ったりする問題が発生しない。さらに、ゴム材料も正確に金属板３中の貫通穴３１中に注入されてしっかりと結合することで、金属板３がしっかりと泥除け２と結合して一体化する。泥除け２には、金型４上の模様の変化によって、泥除け２表面に各種の模様２１（図３、図４に図示）を形成させることが可能である。
【００１２】
泥除け２が車両１中のタイヤ１Ａ後方の位置に設置されることで（図５、図６、図７に図示）、後方車両のライトに照射されて反射作用が働き、注意を促し、走行時の安全を図るという実用的効果を有する。同時に、金属板３上に小さなステッカー３Ａが貼ることで、反射に影響することなく、広告、宣伝の目的を達する外、異なるステッカー３Ａによって、数量に応じた対応を行うことで、金属板３製作上の統一化によって、製作コストの削減を図り、カスタマイズ製作時に発生する在庫によるコストの無駄を回避する。
【符号の説明】
【００１３】
１              車両
１Ａ        タイヤ
２          泥除け
２１        模様
３          金属板
３１        貫通穴
３Ａ        ステッカー
４          金型
４１        突起柱
【図１】
0003167244.tif 000003
【図２】
0003167244.tif 000004
【図３】
0003167244.tif 000005
【図４】
0003167244.tif 000006
【図５】
0003167244.tif 000007
【図６】
0003167244.tif 000008
【図７】
0003167244.tif 000009
(57)【要約】      （修正有）【課題】共鳴箱の表板上に滑らかな傾斜面を設置することによって、使用者の腕が共鳴箱に触れて演奏する際、気楽且つ快適にさせ、共鳴箱と触れる腕の部分に押され痕が生じず、痛みを感じないようにしたギターを提供する。【解決手段】ギターの共鳴箱には、共鳴箱２や、共鳴箱２の表板の中下部は当該共鳴箱の側板２２まで滑らかに繋がり、操作者の腕が容易に滑らかな傾斜面２１に触れるようにする。滑らかな傾斜面２１は共鳴箱２の縦方向中心線を境とする左側表板上に設置される。【選択図】図１
0003167291.tif 000002
【実用新案登録請求の範囲】
【請求項１】
共鳴箱（２）を含み、前記共鳴箱の表板の中下部は当該共鳴箱の側板（２２）と滑らかに繋がり、操作者の腕が快適に触れるように滑らかな傾斜面（２１）となることを特徴とするギター共鳴箱の構造。
【請求項２】
請求項１において、前記滑らかな傾斜面は共鳴箱の縦方向中心線を境として左側表板又は右側表板に設置されることを特徴とするギター共鳴箱の構造。
【請求項３】
請求項１において、前記滑らかな傾斜面は共鳴箱の縦方向中心線を境として左側表板と右側表板に同時に設置することを特徴とするギター共鳴箱の構造。
【考案の詳細な説明】
【技術分野】
【０００１】
本考案はギターに関するもので、具体的にはギターの共鳴箱に関するものである。
【背景技術】
【０００２】
人々の生活レベルの向上につれ、人々の娯楽形式も益々多様化されている。その中、ギターは大勢の若者たち又は歌手らが好んで使っている弦楽器である。現在市場にて販売されているギターは、一般的にネックや、フィンガーボードおよび共鳴箱によって構成されるが、演奏中、片手は通常ギター共鳴箱の表板上に置かれる。共鳴箱の表板と側板との間にはエッジが形成されていて、腕が共鳴箱に触れる場合、必ず表板と側板とのエッジに接触することになり、接触される時間が長くなるにつれ、腕はエッジに押されて、押し痕が形成され、時間が経つと痛くなり、使用者に不便をもたらす。
【考案の概要】
【０００３】
本考案で解決しようとする技術的課題は、腕の触れる感じが優しく、快適で、腕に押し痕等の傷を与えにくいギターの共鳴箱構造を提供することである。
【０００４】
上記問題を解決するために、本実用新案では次の手段を提供する。
【０００５】
共鳴箱や、共鳴箱の表板の中下部は共鳴箱側板まで滑らかに繋がり、操作者の腕が快適に触れるように滑らかな傾斜面であるギター共鳴箱の構造。
【０００６】
本考案において、滑らかな傾斜面の具体的な設置方式は次の２種の方式が好ましい。
【０００７】
方式１：滑らかな傾斜面は共鳴箱の縦方向中心線を境として左側表板又は右側表板に設置される。
【０００８】
方式２：滑らかな傾斜面は共鳴箱の縦方向中心線を境として左側表板と右側表板に同時に設置される。
【０００９】
本考案は既存ギターの共鳴箱構造を改良し、共鳴箱の表板上に滑らかな傾斜面を設置することによって、使用者の腕が共鳴箱に触れて演奏する際、気楽且つ快適にさせ、共鳴箱と触れる腕の部分に押され痕が生じず、痛みを感じないようにし、人間工学に適合した構造デザインとなっている。
【図面の簡単な説明】
【００１０】
【図１】本考案の実施例１の立体構造の見取図である。
【図２】添付図１の仰視見取図である。
【図３】本考案の実施例２の立体構造の見取図である。
【図４】添付図３の仰視見取図である。
【考案を実施するための形態】
【００１１】
本分野の技術者がより簡便に理解できるように、次に添付図に合わせて、本考案について、さらに説明する。
【００１２】
添付図１に示されているとおり、ギターの共鳴箱には、共鳴箱２や、共鳴箱２の表板の中下部は当該共鳴箱の側板２２まで滑らかに繋がり、操作者の腕が容易に滑らかな傾斜面２１に触れるようにする。本考案において、滑らかな傾斜面の具体的位置の設置は以下に説明する２種の比較的良い実現手段がある。
【実施例１】
【００１３】
添付図１、２に示されているとおり、滑らかな傾斜面２１は共鳴箱２の縦方向中心線を境とする左側表板上に設置される。勿論、滑らかな傾斜面は必要に応じて共鳴箱の縦方向中心線を境とする右側表板上に設置することもできるが、見取図では省略する。滑らかな傾斜面が共鳴箱の左側表板上に設置されるか、或は右側表板上に設置されるかは問わない。本考案は共鳴箱の左側表板又は右側表板上に滑らかな傾斜面が設置され、その結果、左手でギターを弾く人と右手でギターを弾く人が一緒になっている時に、ギターが１本しかない場合、このような構造となっている共鳴箱はその中の一人だけが利用可能となる。そのため、本考案には次のもう一種の更に優れた実現手段がある。
【実施例２】
【００１４】
添付図３、４に示されているとおり、滑らかな傾斜面２１は共鳴箱２の縦方向中心線を境とする左側表板と右側表板上に同時に設置される。このソリューションはさらに人間工学化した構造デザインで、実施例１中の問題を効果的に解決することができる。
【００１５】
上記実施例中に記載の内容は本考案を限定するものではなく、本考案のアイディアを離れない限り、本考案に対する同等の取替え又は直接置換などは、いずれも本考案の保護範囲に属するものとする。
【符号の説明】
【００１６】
２：共鳴箱
２２：共鳴箱の側板
２１：傾斜面
【図１】
0003167291.tif 000003
【図２】
0003167291.tif 000004
【図３】
0003167291.tif 000005
【図４】
0003167291.tif 000006
(57)【要約】      （修正有）【課題】建物内における部屋、廊下、玄関等を好ましく飾るのみならず、更に進んで、建物内における部屋、廊下、玄関等内の消臭及び抗菌をも行うことができる額入りアートを提供する。【解決手段】額縁枠体１に支持板５を嵌着し、該支持板における表側の面５ａには消臭及び抗菌の機能性を有するシート状のアート９を取り付けてなることを特徴とする額入りアート。前記シート状のアートは、基材の表面に絵柄層を形成し、該絵柄層の表面に消臭及び抗菌の機能性を有する透明な保護層を形成してなるものである。【選択図】図２
0003167285.tif 000002
【実用新案登録請求の範囲】
【請求項１】
額縁枠体に支持板を嵌着し、該支持板における表側の面には消臭及び抗菌の機能性を有するシート状のアートを取り付けてなることを特徴とする額入りアート。
【請求項２】
前記シート状のアートは、基材の表面に絵柄層を形成し、該絵柄層の表面に消臭及び抗菌の機能性を有する透明な保護層を形成してなることを特徴とする請求項１に記載の額入りアート。
【考案の詳細な説明】
【技術分野】
【０００１】
本考案は、額入りアートに関するものであり、特に消臭及び抗菌の機能性を有する額入りアートに係るものである。
【背景技術】
【０００２】
額入りアートとしては、例えば実用新案登録第３０６３９０２号公報に示す如き額縁枠体に支持板を着脱自在に嵌着してなる額における該支持板に絵画等のアートを取り付けてなるもの（以下「従来の額入りアート」という。）が従来より広く知られている。
【先行技術文献】
【特許文献】
【０００３】
【特許文献１】実用新案登録第３０６３９０２号公報
【考案の概要】
【考案が解決しようとする課題】
【０００４】
上記従来の額入りアートは、建物内における部屋、廊下、玄関等を好ましく飾るものであるが、本考案は、更に進んで、建物内における部屋、廊下、玄関等内の消臭及び抗菌をも行うことができる額入りアートを提供しようとしてなされたものである。
【課題を解決するための手段】
【０００５】
上記課題を解決するために、本考案は、下記の額入りアートを提供する。
【０００６】
（１）額縁枠体に支持板を嵌着し、該支持板における表側の面には消臭及び抗菌の機能性を有するシート状のアートを取り付けてなることを特徴とする額入りアート（請求項１）。
【０００７】
（２）前記シート状のアートは、基材の表面に絵柄層を形成し、該絵柄層の表面に消臭及び抗菌の機能性を有する透明な保護層を形成してなるものである（請求項２）。
【考案の効果】
【０００８】
本考案による額入りアートにおけるシート状のアートは、消臭及び抗菌の機能性を有するため、該額入りアートが飾られている建物内における部屋、廊下、玄関等の臭気を吸収・分解すると共に抗菌する。すなわち、該額入りアートは、例えば、タバコの煙に含まれるアセトアルデヒド、酢酸、硫化水素等を吸着し、トイレ、生ゴミ、ペット等の臭い（アンモニア、トリメチルアミン、メチルメルカプタン等）を吸着し、建物の新築・改築直後のホルムアルデヒドを低減する。したがって、該額入りアートが飾られている建物内における部屋、廊下、玄関等の空気は爽やかで清潔なものとなる。
【図面の簡単な説明】
【０００９】
【図１】図１は、本考案による額入りアートの一例を示す正面図である。
【図２】図２は、同上額入りアートの断面図である。
【図３】図３は、シート状のアートの一例を示す断面図である。
【考案を実施するための形態】
【００１０】
符号１に示すものは額縁枠体である。額縁枠体１は、中央に開口部３を備えた好ましくは略長方形状の枠状体である。額縁枠体１は、好ましくは木製とする。
【００１１】
該額縁枠体１における開口部３には支持板５を好ましくは着脱自在に嵌着する。支持板５は、好ましくは木製とする。図２に示す事例においては、支持板５は回動レバー７により額縁枠体１に固定されている。
【００１２】
支持板５における表側（正面側）の面５ａには消臭及び抗菌の機能性を有するシート状のアート９を取り付ける。
【００１３】
シート状のアート９は、一例として、図３に示すように、基材１１の表面に絵柄層１３を形成し、該絵柄層１３の表面に消臭及び抗菌の機能性を有する透明な保護層１５を形成してなるものである。
【００１４】
基材１１は、一例として、紙質壁紙用基材とする。絵柄層１３は、一例として、絵柄を印刷してなるものである。
【００１５】
保護層１５は、消臭及び抗菌の機能性を有するものであって、一例として、銀担持ゼオライトと化学吸収型消臭剤とを含有する透明な層である。保護層１５は、絵柄層１３上に塗布又は印刷により形成する。なお、保護層１５は、透明であるため、絵柄層１３の美観を損なうものではない。
【符号の説明】
【００１６】
１  額縁枠体
３  開口部
５  支持板
５ａ  表側の面
７  回動レバー
９  シート状のアート
１１  基材
１３  絵柄層
１５  保護層
【図１】
0003167285.tif 000003
【図２】
0003167285.tif 000004
【図３】
0003167285.tif 000005
(57)【要約】【課題】回転装置を備えるダンベルを提供する。【解決手段】ダンベル１は、グリップバー１０と、グリップバー１０の一端に設けられる重り４０と、重り４０に取り付けられ、重り４０を中心に回転するローラまたはローリングボール５０と、を備える。シャフト２０は、両端２１がグリップバー１０の端部１２から露出する。重り固定部３０は、シャフト２０の両端２１に設けられ、殻体３１を備え、内側に凹部３２を備える。重り４０は、端壁４２に設けられる嵌め止め部４３で重り固定部３０の凹部３２に嵌め込み、重り固定部３０に固定される。重り４０は、重り４０を回すことに用いられるつまみ４４を備え、外側にレール４５が設けられる。ローラまたはローリングボール５０は、レール４５に設置される。これにより、ローラまたはローリングボール５０は、レール４５、６４に沿って移動またはローリングすることができる。【選択図】図１
0003167256.tif 000002
【実用新案登録請求の範囲】
【請求項１】
グリップバーと、
前記グリップバーの一端に設けられる重りと、
前記重りに取り付けられ、前記重りを中心に回転するローラまたはローリングボールと、
を備えることを特徴とするダンベル。
【請求項２】
前記重りの外側には、カバーが設けられ、
前記ローラまたはローリングボールを前記重りと前記カバーとの間に保持することを特徴とする請求項１に記載のダンベル。
【請求項３】
前記グリップバー内には、シャフトが取り付けられ、
前記シャフトは、少なくとも一端が前記グリップバーから延出し、
前記グリップバーから延出する前記シャフトの前記一端には、重り固定部が設けられ、
前記重りは前記重り固定部に固定されることを特徴とする請求項１に記載のダンベル。
【考案の詳細な説明】
【技術分野】
【０００１】
本考案は、ダンベルに関し、詳しくは回転装置を備えるダンベルに関する。
【背景技術】
【０００２】
従来のダンベルは、重さを調整することができるが、回転式の運動動作を行うことができない。
【考案の概要】
【考案が解決しようとする課題】
【０００３】
上記問題を解決するため、本考案は、回転装置を備えるダンベルを提供することを目的とする。
【課題を解決するための手段】
【０００４】
上記目的を達成するため、本考案によるダンベルは、グリップバーと、グリップバーの一端に設けられる重りと、重りに取り付けられ、重りを中心に回転するローラまたはローリングボールと、を備える。これにより、本考案によるダンベルは回転することができる。
【図面の簡単な説明】
【０００５】
【図１】本考案の一実施形態によるダンベルの分解斜視図である。
【図２】本考案の一実施形態によるダンベルの斜視図である。
【図３】本考案の一実施形態によるダンベルの側面図である。
【図４】図３の４−４線に沿う断面図である。
【図５】図４の拡大図である。
【図６】本考案の一実施形態によるダンベルの使用状態を示す図である。
【図７】本考案の一実施形態によるダンベルの他の使用状態を示す図である。
【図８】本考案の一実施形態によるダンベルのもう一つの使用状態を示す図である。
【考案を実施するための形態】
【０００６】
（一実施形態）
図１から図５を参照する。ダンベル１は、グリップバー１０、グリップバー１０の一端に設けられる重り４０、および、重り４０に取り付けられ、重り４０を中心に回転するローラまたはローリングボールと５０を備える。グリップバー１０は、中間部に使用者の握りに用いられる柄部１１を有し、両端に当接部１３を有し、内部に少なくとも一つの支持部材１５が設けられてある中空のチャンバー１４を有する。支持部材１５には孔１６が設けられ、当接部１３は肩部１７を備える。グリップバー１０を少し長くしてバーベルのように形成する。シャフト２０は、支持部材１５の孔１６に挿入され、両端２１がグリップバー１０の端部１２から延出する。
【０００７】
重り固定部３０は、シャフト２０の両端２１に設けられ、殻体３１を備え、内側に凹部３２を備える。殻体３１の外径は、当接部１３の外径に等しいまたは接近する。重り４０は、重り固定部３０を収納する孔部４１と、端壁４２とを有する。重り４０は、端壁４２に設けられる嵌め止め部４３で重り固定部３０の凹部３２に嵌め込み、重り固定部３０に固定される。重り４０は、重り４０を回すことに用いられるつまみ４４を備え、外側にレール４５が設けられる。ローラまたはローリングボール５０は、レール４５に設置される。
【０００８】
カバー６０は、重り４０の外側に設けられ、重り４０の収納に用いられる孔部６１を有する。突起縁６２は、固定部材６３を用いて重り４０に固定され、ローラまたはローリングボール５０を重り４０のレール４５内に保持する。カバー６０には、ローラまたはローリングボール５０の設置に用いられるレール６４（図５参照）が設けられる。それによってローラまたはローリングボール５０は、レール４５、６４に沿って移動またはローリングすることができる。
【０００９】
図６に示すように、使用者は、グリップバー１０を握ってダンベル１を動かすことができる。または図７に示すように、上下にダンベル１を移動することができる。または図８に示すように、ダンベル１を回すことができる。更に、図４、図５に示すように、防塵カバー７０を重り４０の孔部４１内に設ける。防塵カバー７０の端部７１、７２は、それぞれ固定環７３を用いて当接部１３と殻体３１に固定される。
【符号の説明】
【００１０】
１      ・・・ダンベル
１０    ・・・グリップバー
１１    ・・・柄部
１２    ・・・端部
１３    ・・・当接部
１４    ・・・チャンバー
１５    ・・・支持部材
１６    ・・・孔
１７    ・・・肩部
２０    ・・・シャフト
２１    ・・・両端
３０    ・・・重り固定部
３１    ・・・殻体
３２    ・・・凹部
４０    ・・・重り
４１    ・・・孔部
４２    ・・・端壁
４３    ・・・嵌め止め部
４４    ・・・つまみ
４５    ・・・レール
５０    ・・・ローラまたはローリングボール
６０    ・・・カバー
６１    ・・・孔部
６２    ・・・突起縁
６３    ・・・固定部材
６４    ・・・レール
７０    ・・・防塵カバー
７１    ・・・端部
７２    ・・・端部
７３    ・・・固定環
【図１】
0003167256.tif 000003
【図２】
0003167256.tif 000004
【図３】
0003167256.tif 000005
【図４】
0003167256.tif 000006
【図５】
0003167256.tif 000007
【図６】
0003167256.tif 000008
【図７】
0003167256.tif 000009
【図８】
0003167256.tif 000010
(57)【要約】      （修正有）【課題】ベルトの連結で留め金やホックの部分に力が集中するのを防ぐバックルを提供する。【解決手段】ベルトの連結部分を斜めに傾け、連結部分のメス型にくさび形のオス形をＡの方からＢに横から差し込みベルトの外側への張力がストッパー方向に働く力をストッパーで止めて連結部分が外れず連結部分全体で結合する。【選択図】図１
0003167227.tif 000002
【実用新案登録請求の範囲】
【請求項１】
ベルトの連結部分をベルトに対して横方向に１度から８９度傾け連結部分をくさび形のオス・メス形をベルトの横方向から差し込むベルトのバックル。
【考案の詳細な説明】
【技術分野】
【０００１】    本校案は、ベルトの連結部分を斜めに傾け、オス・メスのくさび形を横から差し込み、ストッパー部分で止め、バックル又はホックの役目をする。
【従来の方式】
【０００２】    今までのベルトバックルやホックは、ベルトに穴を開け、留め金で止めたり、ホックは止め金の爪を引っかけたりして、力が留め金部分に集中していた。
【考案の概要】
【考案が解決使用とする課題】
【０００３】    ベルトの連結部分が留め金やホック留め金の爪の部分に力が集中していた。
【問題を解決するための手段】
【０００４】    ベルト本体がゴムの様な弾力のある素材かベルトで止められる物に弾力があり常にベルト本体に張力がかかっているとして、ベルトの連結部分ＡとＢ、ＣとＤが同じ角度に斜めに傾け、斜めに傾けられているメス形のＡの部分からＢの方へ、くさび形のオス形の連結Ｄの部分をストッパーまで差し込むことで、力が常にＡからＢの方向に働いているため、連結部分が外れる事がない。
【考案の効果】
【０００５】    ベルトの連結部分を斜めに傾け連結部分を差し込むことでベルトの外への張力が常にストッパー部分に向かうので連結部分が外れる事なく、全体で結合できる。
【図面の簡単な説明】
【図１】本考案の斜めから見た図である。
【図２】本考案の使用状態を示す図である。
【図１】
0003167227.tif 000003
【図２】
0003167227.tif 000004
(57)【要約】【課題】  建物の壁・床・天井等に使用される内装材に関し、耐燃性を有する難燃化粧合板材を提供する。【解決手段】  芯材１と表層材２と難燃薬剤とから成る難燃化粧合板材において、該芯材１は杉合板であって、該杉合板に、真空・加圧含浸装置を用いて難燃薬剤を含浸させ、乾燥させた後、その表面に、厚さ０．３ｍｍ以下の木質薄板を表層材２として貼り合わせて化粧面を形成し、さらに、該表層材２の表面に難燃薬剤を塗布したことを特徴として、耐燃性を有する難燃化粧合板材とした。【選択図】図１
0003167381.tif 000002
【実用新案登録請求の範囲】
【請求項１】
芯材と表層材と難燃薬剤とから成る難燃化粧合板材において、該芯材は杉合板であって、該杉合板に、真空・加圧含浸装置を用いて難燃薬剤を含浸させ、乾燥させた後、その表面に、厚さ０．３ｍｍ以下の木質薄板を表層材として貼り合わせて化粧面を形成し、さらに、該表層材の表面に難燃薬剤を塗布したことを特徴とする難燃化粧合板材。
【考案の詳細な説明】
【技術分野】
【０００１】  本考案は、建物の壁・床・天井等に使用される内装材に関し、特に、難燃化粧合板材に係るものである。
【背景技術】
【０００２】  従来より、建物の壁・床・天井等に使用される内装材に関しては様々な提案がなされ、火災時の耐火性・耐燃性を有した製品も数多く市販されている。
【考案の概要】
【考案が解決しようとする課題】
【０００３】  しかしながら、従来品の多くにあっては、高価であったり、重い、加工や施工が難しいなどの問題点を有するものも少なくなかった。【０００４】  本考案は、上記従来有する問題点に鑑み、建物の壁・床・天井等に使用される内装材に関し、耐燃性を有する難燃化粧合板材を提供しようとするものである。
【課題を解決するための手段】
【０００５】  本考案に於いては、芯材１と表層材２と難燃薬剤とから成る難燃化粧合板材において、該芯材１は杉合板であって、該杉合板に、真空・加圧含浸装置を用いて難燃薬剤を含浸させ、乾燥させた後、その表面に、厚さ０．３ｍｍ以下の木質薄板を表層材２として貼り合わせて化粧面を形成し、さらに、該表層材２の表面に難燃薬剤を塗布したことを特徴として、耐燃性を有する難燃化粧合板材とした。
【考案の効果】
【０００６】  本考案によれば、上質な木質表層を有しながら耐燃性であり、軽量かつ加工や施工も容易である内装材を比較的安価に提供できることから、防火対策の普及・向上につながる効果が期待できる。
【図面の簡単な説明】
【０００７】
【図１】  本考案による難燃化粧合板材を示す断面図である。
【図２】  本考案による難燃化粧合板材を示す断面の分解図である。
【考案を実施するための形態】
【０００８】  以下、本考案の実施の形態について、図面を参照して説明する。
図１に示すように、本考案に於いては、芯材１と表層材２と難燃薬剤とから成る難燃化粧合板材において、該芯材１は杉合板であって、該杉合板に、真空・加圧含浸装置を用いて難燃薬剤を含浸させ、乾燥させた後、その表面に、厚さ０．３ｍｍ以下の木質薄板を表層材２として貼り合わせて化粧面を形成し、さらに、該表層材２の表面に難燃薬剤を塗布したことを特徴として、耐燃性を有する難燃化粧合板材とした。
【符号の説明】
【０００９】    １    芯材
２    表層材
３    接着剤
【図１】
0003167381.tif 000003
【図２】
0003167381.tif 000004
(57)【要約】      （修正有）【課題】少ない樹脂量で製造され、樹脂の廃棄量を低減し、環境維持の一助をなす環境対応傘を提供する。【解決手段】支軸２と、支軸２に対して放射状に連結された複数の親骨５と、複数の親骨５の間に張り渡された傘生地６とを備える。傘生地６は、低密度ポリエチレン（ＬＤＰＥ）又は直鎖状低密度ポリエチレン（Ｌ−ＬＤＰＥ）を基材とし、結合強度を高めるための改質材を含む機能性ポリエチレンシートで構成される。【選択図】図１
0003167332.tif 000002
【実用新案登録請求の範囲】
【請求項１】
支軸と、
前記支軸に対して放射状に連結された複数の親骨と、
前記複数の親骨間に張り渡された傘生地とを備え、
前記傘生地は、直鎖状低密度ポリエチレンを基材とする機能性ポリエチレンシートであることを特徴とする環境対応傘。
【請求項２】
前記機能性ポリエチレン樹脂シートは、直鎖状低密度ポリエチレン樹脂の結合強度を高める改質材を含むことを特徴とする請求項１に記載の環境対応傘。
【請求項３】
前記傘生地は、４０ｇ以上６０ｇ以下であることを特徴とする請求項１又は２に記載の環境対応傘。
【考案の詳細な説明】
【技術分野】
【０００１】
この考案は、環境対応傘に係り、特に、日常の雨具としての使用に適した環境対応傘に関する。
【背景技術】
【０００２】
我が国の雨傘市場では、かつて、一人当たりの平均所持本数は一本であったが、現在では、その平均所持本数は三本に上ると言われている。我が国の洋傘メーカで構成する日本洋傘振興協議会の推計では、日本国内での洋傘の年間販売数量は一億本を越えると推定されている。また、総販売数に占める、所謂ビニール傘の割合は、９割と計算されている。好ましい状態ではないが、ビニール傘は、二乃至三回の使用の後に廃棄されてしまうのが実情である。
【考案の概要】
【考案が解決しようとする課題】
【０００３】
一般に、ビニール傘の生地としては、ポリオレフィン系樹脂が使われている。将来的には、傘生地が、自然分解される樹脂に転向されると予想されているが、現時点では、そのような樹脂のコストが極めて高く、早急にその転向を進めることは困難である。このため、ゴミの発生や無駄な資源消費を抑える観点より、ビニール傘に使用される傘生地の使用量を減らすことが望まれている。
【０００４】
この考案は、上述のような要求を満たすためになされたもので、現状のビニール傘に比して少ない樹脂量で製造された傘生地を有し、樹脂の廃棄量を低減し、環境維持の一助をなすことのできる環境対応傘を提供することを目的とする。
【課題を解決するための手段】
【０００５】
第１の考案は、上記の目的を達成するため、環境対応傘であって、支軸と、前記支軸に対して放射状に連結された複数の親骨と、前記複数の親骨間に張り渡された傘生地とを備え、前記傘生地は、直鎖状低密度ポリエチレンを基材とする機能性ポリエチレン樹脂シートであることを特徴とする。
【０００６】
また、第２の考案は、第１の考案において、前記機能性ポリエチレン樹脂シートは、直鎖状低密度ポリエチレンの結合強度を高める改質材を含むことを特徴とする。
【０００７】
また、第３の考案は、第１又は第２の考案において、前記傘生地は、４０ｇ以上６０ｇ以下であることを特徴とする。
【考案の効果】
【０００８】
本考案によれば、ポリオレフィン樹脂のシートを傘生地とするビニール傘に比して、傘生地の樹脂量が少ない環境対応傘を提供することができる。
【図面の簡単な説明】
【０００９】
【図１】本考案の実施形態である環境対応傘の全体図である。
【考案を実施するための形態】
【００１０】
実施の形態１．
図１は、本考案の第１実施形態の環境対応傘１の全体図である。環境対応傘１は、支軸２を備えている。支軸２の上端部近傍には、環状の親骨取り付け部３が装着されている。また、支軸２の中央付近には、環状のスライド部材を介して、複数（本実施形態では８本）の受骨４の一端が連結されている。それらの受骨４は、支軸２の周りに、等間隔に、放射状に配置されており、上記一端は、スライド部材と共に支軸２に沿って移動することができる。
【００１１】
受骨４の他端は、親骨５の中央付近に連結されている。親骨５は、受骨４と同じ数だけ備わっており、全ての受骨４は、それぞれ対応する親骨５に連結されている。親骨５の一端は、上述した親骨取り付け部３に連結されている。親骨５は、受骨４に連結されているスライド部分が支軸２に沿って移動するのに伴い、親骨取り付け部３を支点として放射状に開閉することができる。
【００１２】
親骨５の間には、傘生地６が張り渡されている。傘生地６は、最も開かれた８本の親骨５に密着することができるように、八角錘の側面形状に似た形状に形成されている。この形状は、二等辺三角形に似た形状にカットされた生地を八枚張り合わることで、或いは縫い合わせることで形成されている。傘生地６が有する八つの頂点には、それぞれ係止部材が固定されている。傘生地６は、それらの係止部材が親骨５の端部に装着されることで親骨５に固定されている。
【００１３】
本実施形態において、傘生地６は、低密度ポリエチレン（LDPE）又は直鎖状低密度ポリエチレン（L-LDPE）を基材とする機能性ポリエチレン樹脂シートで形成されている。この機能性ポリエチレン樹脂シートは、LDPE又はL-LDPEに、結合強度を高めるための改質材を添加して形成されている。このため、本実施形態が用いる傘生地６は、LDPE又はL-LDPEのシートに比して高い強度を有している。
【００１４】
ポリオレフィン樹脂のシートで傘生地６を形成する場合、必要な厚さは７５μ程度であり、その重量は６５ｇ程度となる。これに対して、上記の機能性ポリエチレン樹脂シートによれば、必要十分な強度を確保しつつ、傘生地６の重量を、従来のポリオレフィン樹脂単体を用いる場合に比して重量で２０〜３０％削減することができる。本実施形態では、具体的には、傘生地６の重量を４０ｇ以上６０ｇ以下の適当な値に設定している。このため、ポリオレフィンの傘生地を用いる全てのビニール傘を本実施形態の環境対応傘１に置き換えた場合、樹脂材料の消費量を約３割、具体的には、年間で５，８００，０００ｋｇ以上の樹脂消費量を削減することが可能である。
【符号の説明】
【００１５】
１  環境対応傘
２  支軸
５  親骨
６  傘生地
【図１】
0003167332.tif 000003
(57)【要約】      （修正有）【課題】菜箸本体が不規則な回転をしても、紐が菜箸本体に絡みにくい菜箸を提供する。【解決手段】上端に左右一対の溝を設けた菜箸本体と、この左右の夫々の溝に挿入した左右のＣ型リングと、この左右のＣ型リング間を連結する一定長さの可撓性連結紐とで成す。【選択図】図６
0003167334.tif 000002
【実用新案登録請求の範囲】
【請求項１】
上端に左右一対の溝を設けた菜箸本体と、この左右の夫々の溝に挿入した左右のＣ型リングと、この左右のＣ型リング間を連結する一定長さの可撓性連結紐とで成したことを特徴とした菜箸。
【請求項２】
前記左右のＣ型リングは、バネ線材で形成したことを特徴とした請求項１記載の菜箸。
【請求項３】
前記左右のＣ型リングは、中程に小円形部を設けたことを特徴とした請求項１記載の菜箸。
【請求項４】
前記可撓性連結紐は、鎖としたことを特徴とした請求項１記載の菜箸。
【考案の詳細な説明】
【技術分野】
【０００１】
この考案は料理を作るときに使用する菜箸に関するものである。
【背景技術】
【０００２】
従来、使用されている菜箸は左右一対の菜箸の上端に孔をあけて紐を通して連結している。この状態で菜箸を使用すると指のなかで菜箸本体が不規則な回転をして紐が左右の菜箸に絡み付き箸の動作に支障をきたし、その度に絡み付いた紐を解く不便がある。
【考案の概要】
【考案が解決しようとする課題】
【０００３】
本考案は菜箸本体が不規則な回転をしても紐が菜箸本体に絡み付く支障を解決する。
【課題を解決するための手段】
【０００４】
本考案は上端に左右一対の溝を設けた菜箸本体と、この左右の夫々の溝に挿入した左右のＣ型リングと、この左右のＣ型リング間を連結する一定長さの可撓性連結紐とで成したことを特徴としたものである。
【考案の効果】
【０００５】
（１）  請求項１により、菜箸を使用中において菜箸本体が指のなかで不規則な回転をしても可撓性連結紐は菜箸本体に絡み付くことはない
（２）  請求項２により、Ｃ型リングの材料はバネ線材を使用することにより、菜箸が溝から抜けにくくなる。
（３）  請求項３により、Ｃ型リングの中ほどに小円形部を設けることにより、可撓性連結紐を固定が容易となる。
（４）  請求項４により、可撓性連結紐は鎖としたことにより、耐久性が向上する。
【図面の簡単な説明】
【０００６】
【図１】菜箸本体の正面図
【図２】同上のＡ−Ａ断面図
【図３】Ｃ型リングの正面図
【図４】鎖の部分図
【図５】Ｃ型リングと鎖との連結図
【図６】菜箸本体の左右一対の正面図
【考案を実施するための形態】
【０００７】
以下本考案を実施例として掲げた図面に基づいて説明すると、図１は菜箸本体１の正面図であって、図６に示す如く左右一対にて使用される。菜箸本体１は夫々上端に溝２を形成している。この溝２は図２に示す如く全周にわたって形成されている。図３はＣ型リング３を示し、切り口４を設けて菜箸本体１の溝２に挿入される。菜箸本体１とＣ型リング３は隙間を有しており、互いに干渉されることなく鎖６は菜箸本体１に絡み付くことはない。
【符号の説明】
【０００８】
１  菜箸本体
２  溝
３  Ｃ型リング
４  切り口
５  小円形部
６  鎖
【図１】
0003167334.tif 000003
【図２】
0003167334.tif 000004
【図３】
0003167334.tif 000005
【図４】
0003167334.tif 000006
【図５】
0003167334.tif 000007
【図６】
0003167334.tif 000008
(57)【要約】      （修正有）【課題】自動で消火できるコンセントを提供する。【解決手段】コンセントの上部側に非導電性液を収納した防災機能部材を設ける。【選択図】図１
0003167342.tif 000002
【実用新案登録請求の範囲】
【請求項１】
コンセントの上部側に非導電性液を収納した防災機能部材を設けたことを特徴とするコンセント
【考案の詳細な説明】
【技術分野】
【０００１】本実用新案登録は電機製品であるコンセントに関するものである。
【背景技術】
【０００２】コンセントは出火する恐れがある為に自動で消化できる構造とした案件である。
【実用新案が解決しようとする課題】
【０００３】電気に関する火災を全般に防ぐ為にコンセントが過熱した場合発火する恐れがあった。
【課題を解決する為の手段】
【０００４】コンセントの上部側に非導電性液を収納した防災機能部材を設けたことを特徴とするコンセントである。
コンセント保護カバーの上部に火災防災機能部材
コンセント保護カバー上部やテーブルタップ等のプラグを差し込んで使用する。
ものをさす。
消化液としては非導電性液（純水等）
コンセントカバーはプラスチック又は金属などを用いると良い。
１  コンセントの保護カバーの上部に寿司のしょう油入れのような素材（熱可塑性樹脂）のものを差し込む引き出しを作る。
２  コンセントカバーの形状が今までと違う。
【実用新案登録の効果】
【０００５】コンセント火災の自動消化を可能とする。
【図面の簡単な説明】
【０００６】
【図１】実施例１のコンセント保護カバーの使用状態を示す正面図
【図２】図１のＡ−Ａ線断面図
【図３】実施例２のコンセント保護カバーの使用状態を示す正面図
【図４】図３のＢ−Ｂ線断面図
【図５】実施例３のコンセント保護カバーの使用状態を示す正面図
【図６】図５のＣ−Ｃ線断面図
【考案を実施する為の形態】
【０００７】１．コンセントの保護カバーの上部に火災防災機能部材（熱可塑性樹脂）のものを差し込む引き出しを作る
２．コンセントカバーの形状が今までと違う
コンセント火災があっても壁付けのコンセント保護カバー上部やテーブルタップ上部に非導電性液体（純水等）を入れ電気がショートして出火した時に火災防災機能部材が溶けて穴があき火を自動消火できる案件により電気による火災を全般に防いでくれるというものです。
図を用いて以下に説明する。
【実施例１】
【０００８】図１は実施例１のコンセント保護カバーの使用状態を示す正面図である。コンセントの上部に穴を設けて、非導電性液入れ容器２を入れる。容器２には非導電性液６を入れたあとで蓋３を取りつける。
図２は図１のＡ−Ａ線断面図である。
【実施例２】
【０００９】図３に示すとおり実施例２のコンセント保護カバーの使用状態を示す正面図である
図４は図３のＢ−Ｂ線断面図である
【実施例３】
【００１０】図５は実施例３のコンセント保護カバーの使用状態を示す正面図である
図６は図５のＣ−Ｃ線断面図である
【産業上の利用可能性】
【００１１】電機製品などに利用される
【符号の説明】
【００１２】１．コンセント保護カバー
２．防災機能部材（非導電性液入れ容器）
３．キャップ
４．防災機能部材（非導電性液入れ皿）
５．非導電性液の投入口
６．非導電性液
７．コード
８．テーブルタップ
９．プラグ
１０．防災機能部材（テーブルタップ用非導電性液入れ皿）
【図１】
0003167342.tif 000003
【図２】
0003167342.tif 000004
【図３】
0003167342.tif 000005
【図４】
0003167342.tif 000006
【図５】
0003167342.tif 000007
【図６】
0003167342.tif 000008